(57)【要約】      （修正有）【課題】持ち運びや使用状態・折り畳み状態とする動作の際の取り扱いが行い易い椅子を提供する。【解決手段】椅子１は、座４と、前記座４の一端部側を正逆方向に回転可能に支持する前脚フレーム２と、前記前脚フレーム２に対して正逆方向に回転可能に連結してなるとともに前記座４の他端部側を正逆方向に回転可能に支持する後脚フレームとを具備してなり、前記前脚フレーム２・後脚フレーム・座の相対回転によって使用状態（Ｐ）から前脚フレーム２・後脚フレームが略面一をなす折り畳み状態に折り畳めるように構成されている椅子１であって、前脚フレーム２に架け設けられた背板５と、当該背板５よりも上に位置付けられた把手２３とを具備する。【選択図】図１
2013169314.tif 000002
【特許請求の範囲】
【請求項１】
座と、前記座の一端部側を正逆方向に回転可能に支持する第一の脚フレームと、前記第一の脚フレームに対して正逆方向に回転可能に連結してなるとともに前記座の他端部側を正逆方向に回転可能に支持する第二の脚フレームとを具備してなり、前記第一の脚フレーム・第二の脚フレーム・座の相対回転によって使用状態から前記第一、第二の脚フレームが略面一をなす折り畳み状態に折り畳めるように構成されている椅子であって、
前記第一の脚フレーム間に架け設けられた背板と、当該背板よりも上に位置付けられた把手とを具備することを特徴とする椅子。
【請求項２】
前記座及び前記背板が前記折り畳み状態で前記第一、第二の脚フレームの厚みの範囲内で位置付けられている請求項１記載の椅子。
【請求項３】
前記背板が概略平板状をなすものであり、当該背板の下端から上端を経てさらに上方へ向かう仮想の直線が前記把手の前面よりも前方を通過するように前記背板が位置付けられている請求項２記載の椅子。
【請求項４】
背板の下端が前記第一の脚フレームにおける厚み範囲内の後端に位置付けられるとともに前記背板の上端が前記第一の脚フレームにおける厚み範囲内の前端に位置付けられる請求項３記載の椅子。
【請求項５】
当該背板が、厚み方向に変形し難く背板自体の形状を保持し得る保形領域と、厚み方向に変形し易い変形領域とを有し、前記保形領域を前記背板の上側に位置付けるとともに前記変形領域を前記背板の下側に位置付けている請求項３又は４記載の椅子。
【請求項６】
前記変形領域の少なくとも一部が前記第一の脚フレームの厚みよりも外側へ変形し得る請求項５記載の椅子。
【請求項７】
把手と背板との間に開口形状をなす把持領域を形成している請求項１又は２記載の椅子。
【発明の詳細な説明】
【技術分野】
【０００１】
本発明は、会議室や集会場等で使用される折り畳み可能な椅子に関するものである。
【背景技術】
【０００２】
従来、会議場等に用いられる折り畳み可能な椅子としては、座と、前記座の前端部側を回転可能に支持する前脚フレームと、この前脚フレームに対して回転可能に連結してなるとともに座の後端部側を回転可能に支持する後脚フレームとを具備してなり、前記前脚フレーム・後脚フレーム・座の相対回転によって使用状態から前記前脚フレームと後脚フレームとが略面一をなす折り畳み状態に折り畳めるように構成されている (例えば、特許文献１参照)。
【０００３】
そしてこの種の椅子を持ち運んだり、使用状態または折り畳み状態へと状態を相互に変更したりする際には通常、背板の下側を手で持ち上げて行うようにしている。この場合、背板の下側は折り畳み状態では座に近接しているため、背板の下側を持った手と回転動作する座が不意に当たってしまうという事態が起こってしまうか、使用者が当該事態を回避するよう慎重な動作を強いられてしまう。
【０００４】
他方、この種の折り畳み可能な椅子においては、座の一部に把手とし利用し得る開口等を設けるなどして、使用者が腕を過度に曲げる等の無理な姿勢を強いられることなく折り畳み状態での持ち運びが好適に行い得るものも開示されている（例えば、特許文献２参照）。
【０００５】
ここで、当該特許文献２に記載したものであると、同じ構成をなす椅子を折り畳み状態で重ねた状態とした場合、任意の椅子の座に設けられた把手を大きく引き出し露出させる動作を経た後か、予め座が露出し把手にアクセス可能な位置にある椅子でないと当該把手を利用することができない。つまり、これまで持ち運びが行い易い様に設けられた把手は、複数の椅子を重ねた状態からの速やかな持ち運びを考えた場合、必ずしも有効に機能し得ていないというのが現状である。
【先行技術文献】
【特許文献】
【０００６】
【特許文献１】特開２００２―１７７０８８号公報
【特許文献２】特開２００２−７８５５７号公報
【発明の概要】
【発明が解決しようとする課題】
【０００７】
本発明は、上記の点に着目したものであり、持ち運びや使用状態・折り畳み状態とする動作の際の取り扱いが行い易い椅子を提供することを目的としている。
【課題を解決するための手段】
【０００８】
本発明は、このような目的を達成するために、次のような手段を講じたものである。
【０００９】
すなわち本発明に係る椅子は、座と、前記座の一端部側を正逆方向に回転可能に支持する第一の脚フレームと、前記第一の脚フレームに対して正逆方向に回転可能に連結してなるとともに前記座の他端部側を正逆方向に回転可能に支持する第二の脚フレームとを具備してなり、前記第一の脚フレーム・第二の脚フレーム・座の相対回転によって使用状態から前記第一、第二の脚フレームが略面一をなす折り畳み状態に折り畳めるように構成されている椅子であって、前記第一の脚フレーム間に背板を架け設けられた背板と、当該背板よりも上に位置付けられた把手とを具備することを特徴とする。
【００１０】
このようなものであれば、把手を持ちながら座を回転させても当該座は把手を持った手に対して背板を介して位置付けられることとなる。これにより、使用状態・折り畳み状態とする動作の際の取り扱いが行い易いものとなる。また使用状態・折り畳み状態とした際でも使用者は上方から容易に把手を掴むことができる。その結果、持ち運びや使用状態・折り畳み状態とする動作の際の取り扱いが行い易い椅子を提供することができる。
【００１１】
同じ構成をなす複数の椅子を折り畳み状態で重ねて配置しても、任意の椅子を好適に取り出し得るようにするためには、座及び背板が折り畳み状態で第一、第二の脚フレームの厚みの範囲内で位置付けられるようにすれば良い。このようなものであれば、同じ構成をなし重ねられた複数の椅子に対し、任意の椅子を好適にずらすことができ、しかる後に把手に容易にアクセスし、その後の作業を円滑に行うことができる。
【００１２】
背板に凭れ掛けた使用者の上体が把手に当たってしまうことを有効に回避するためには、背板を概略平板状をなすものとし、当該背板の下端から上端を経てさらに上方へ向かう仮想の直線が把手の前面よりも前方を通過するように背板が位置付けられているようにすればよい。斯かる背板の具体的な構成として、背板の下端が第一の脚フレームにおける厚み範囲内の後端に位置付けられるとともに背板の上端が第一の脚フレームにおける厚み範囲内の前端に位置付けられる態様を挙げることができる。
【００１３】
当該背板が着座者の上体をより好適に支持するためには、厚み方向に変形し難く背板自体の形状を保持し得る保形領域を背板の上側に位置付けるとともに厚み方向に変形し易い変形領域を背板の下側に位置付けることが望ましい。
【００１４】
背板を使用者の上体に沿ってより変形し易くするためには、変形領域の少なくとも一部が第一の脚フレームの厚みよりも外側へ変形し得るようにすることが望ましい。
【００１５】
把手を背板の配置に拘わらず持ちやすいものとするためには、把手と背板との間に開口形状をなす把持領域を形成しておくことが好ましい。
【発明の効果】
【００１６】
本発明によれば、持ち運びや使用状態・折り畳み状態とする動作の際の取り扱いが行い易い椅子を提供することができる。
【図面の簡単な説明】
【００１７】
【図１】本発明の一実施形態に係る椅子の外観図。
【図２】同実施形態に係る側面図。
【図３】同他の側面図。
【図４】図２に係る作用説明図。
【図５】同実施形態に係る要部を示す外観図。
【図６】図４に係る中央側断面図。
【図７】図５に係る作用説明図。
【図８】同実施形態の変形例に係る要部の中央側断面図。
【発明を実施するための形態】
【００１８】
以下、本発明の一実施の形態について図面を参照して説明する。
【００１９】
本実施形態に係る椅子１は、図１に示すように、座４の前両側を軸を介して正逆方向に回転可能に支持する第１の脚フレームたる前脚フレーム２と、前脚フレーム２の外側に回転支持体３２を介して回転可能に取付けてなるとともに座４の後ろ両側を軸を介して正逆方向に回転可能に支持する第２の脚フレームたる後脚フレーム３とを具備してなるもの、すなわち、前脚フレーム２・後脚フレーム３・座４とをそれぞれ正逆方向に回転可能に連結したもので、図１、２に示す使用状態（Ｐ）から、本実施形態では前脚フレーム２と後脚フレーム３とが側面視重層する位置で前脚フレーム２と後脚フレーム３とが略面一をなす図３に示す折り畳み状態（Ｑ）に折り畳めるよう構成したものである。本実施形態に係る椅子１は、座４及び背板５が折り畳み状態（Ｑ）で前脚フレーム２並びに後脚フレームの厚みの範囲内で位置付けられている。そのため図３に示すようにこの椅子１は、折り畳み状態（Ｑ）では、他の同一形状の折り畳み椅子１とともに、後脚フレームを下として壁等に複数重ねて立てかけておいた状態であっても、厚み方向に重なる複数の椅子１のうち任意の椅子１を側方から抜き出すことができる。
【００２０】
ここで、本実施形態に係る椅子１は、座４と、座４の一端部側を正逆方向に回転可能に支持する前脚フレーム２と、前脚フレーム２に対して正逆方向に回転可能に連結してなるとともに座４の他端部側を正逆方向に回転可能に支持する後脚フレーム３とを具備してなり、前脚フレーム２・後脚フレーム３・座４の相対回転によって使用状態（Ｐ）から前脚フレーム２・後脚フレーム３が略面一をなす折り畳み状態（Ｑ）に折り畳めるように構成されている椅子１であって、前脚フレーム２に架け設けられた背板５と、当該背板５よりも上に位置付けられた把手２３とを具備することを特徴とする。
【００２１】
以下、椅子１の各部の構成について説明する。
【００２２】
前脚フレーム２は、スチール丸パイプ製の略Ｕ字形状のものであるフレーム本体２１と、このフレーム本体２１の上方から例えばフレーム本体２１のパイプ内部に差し込むように取付けられた例えば樹脂製の上部フレーム２２と、この上部フレーム２２の上端に形成された把手２３とを有している。上部フレーム２２には、把手２３よりも若干の離間寸法を介して背板５を設けている。そして背板５、把手２３間には開口形状をなす把持領域Ｓを形成している。
【００２３】
後脚フレーム３は、スチール丸パイプ製の略Ｕ字形状のフレーム本体３１と、このフレーム本体３１の上端に取付けられ前脚フレーム２に対し回転可能に支持される回転支持体３２と、フレーム本体の下端部において例えば２箇所に取付けられた設置部材３３とを有するものである。当該後脚フレーム３は具体的には、前脚フレーム２の外側に回転支持体３２を介して前脚フレーム２に対して相対的に回転可能となるように連結している。そして本実施形態では、回転支持体３２が、フレーム本体３１と前脚フレーム２との相対距離を変更させ得るスライダ３４を有している。これにより、使用状態（Ｐ）と折り畳み状態（Ｑ）との間で座４、前後脚フレーム２、３を回転させる場合に生じる後脚フレーム３と座４の回転中心と前脚フレーム２と後脚フレーム３の回転中心との間の離間距離の変位を吸収するようにしている。
【００２４】
座４は、上述の通り、前脚フレーム２、後脚フレーム３それぞれに対し回転可能に取付けられるとともに、これら両フレーム２、３よりも厚み寸法を小さく設定することにより、折り畳み状態（Ｑ）において両フレーム２、３の厚みの範囲内に収容され得るものである。この座４は、着座者の荷重を受ける座本体４１と、前脚フレーム２に対し正逆方向に回転可能に接続する前枢着部４２と、後脚フレーム３に対し正逆方向に回転可能に接続する後枢着部４３とを有する。座本体４１は、例えば中央に開口を有してなる平面視略ロ字形状の座受部の開口内に張った状態で取付けてなるネット状の張地とを具備してなるものや樹脂の一体成形をなすものなど、既存の種々の構成を適用し得る。
【００２５】
しかして本実施形態に係る椅子１は、上述の通り、前脚フレーム２に架け設けられた背板５よりも上に把手２３が位置付けられているものである。
背板５は、図１及び図５〜図７に示すように、本実施形態では上部フレーム２２に対しその厚みが均一なように一体的に成形された後方へ膨出するよういわゆるアールを設けた湾曲形状をなすものである。当該背板５は、前脚フレーム２の前端面２ａよりも後ろ側、且つ、後端面２ｂよりも前側に収まるように位置付けられている。すなわち背板５は前脚フレーム２の厚みの範囲に位置付けられている。具体的に説明すると背板５は、上端５ｃの前面５ａは左右の前脚フレーム２の前端面２ａ近傍で直線状に架設される一方、下方に至るにつれ徐々に中央５ｅが大きく後方へ位置付けられるよう湾曲している。そして背板５の下端５ｄの両側は前脚フレーム２の厚み方向略中央部分に接続し、当該下端５ｄにおける中央５ｅの後面５ｂでは湾曲度合が最も大きく側面視で前脚フレーム２の後端面２ｂ近傍に位置付けられている。すなわち背板５は前脚フレーム２の厚みの範囲に位置付けられている。そしてこの背板５は、上端及び上部フレーム２２に連続する両側端、すなわち上側に位置付けられた背板５自体の形状を保持し得る保形領域５１と、下端の大部分から部分円形状、換言すれば下側程幅寸法が大きい形状をなし保形領域５１に接続する変形領域５２とを有している。保形領域５１は、例えば上部フレーム２２と同じ素材、つまり使用者による荷重や持ち運びの際には変形し難い硬質樹脂等の素材によってなるものである。そして保形領域５１の上端つまり背板５の上端５ｃは把手２３に対し把持領域Ｓを介在させて形成している。変形領域５２は、図４、図７に示す様に例えば弾性素材やクッション性を有する素材など、着座者の荷重や持ち運びの際に適宜変形し得る素材により構成され、製造の際には例えば上部フレーム２２や保形領域５１とともに二色成形により成形されたものとしているが、勿論別体の素材を別途取付ける態様としても良い。
【００２６】
ここで、この変形領域５２は、少なくとも一部が前脚フレーム２の前端面２ａよりも前側、又は図４及び図７に示すように、後端面２ｂよりも後ろ側へ変形し得るようになっている。変形領域５２は上述の通り下方程幅寸法が大きい部分円形状をなすことにより、背板５の下端５ｄであり且つ中央５ｅの位置にある前面５ａ又は後面５ｂが、変形により最も大きく移動し得るようになっている。これにより、図４に示すように使用者が着座した状態では変形領域５２が背板５の下端において前脚フレーム２の後端面２ｂを超えて大きく変形するようになっている。これにより、着座者は椅子１に深く腰を掛けて前面から荷重を掛けても背板５の下端側が変形領域５２の変形により上体に干渉せず、座４の面積を有効に活用しならが快適な座り心地に資する。
【００２７】
特に本実施形態では、図６及び図７に示す様に、概略平板状をなす背板５は、その下端５ｄが前脚フレーム２における厚み範囲内の後端である後端面２ｂ近傍に位置付けられるとともに背板５の上端が前脚フレーム２における厚み範囲内の前端つまり前端面２ａ近傍に位置付けられるようにして、当該背板５の下端から上端を経てさらに上方へ向かう仮想の直線Ｖが把手前面２３ａよりも前方を通過するように背板５が位置付けられるようにしている。これにより、使用者は上記の通り椅子１に深く腰を掛けて前面から背板５に荷重を掛けてもその上体は仮想の直線Ｖよりも前側に位置付けられる。そのため把手前面２３ａが着座者の上体に干渉することがない。
【００２８】
以上のような構成とすることにより、本実施形態の椅子１は背板５よりも上に把手２３が位置付けられているのことから、把手２３を持ちながら座４を回転させて折り畳み状態（Ｑ）・使用状態（Ｐ）への相互動作を行っても当該座４は把手２３を持った手に対して背板５を介して位置付けられることとなる。これにより、使用者は斯かる場合の際の椅子１の取り扱いを安心して行い得る。また使用状態（Ｐ）・折り畳み状態（Ｑ）とした際でも使用者は上方から容易に把手２３を掴むことができる。その結果、持ち運びや使用状態（Ｐ）・折り畳み状態（Ｑ）とする動作の際の取り扱いが行い易い椅子１を実現している。
【００２９】
また、座４及び背板５が折り畳み状態（Ｑ）で両脚フレーム２、３の厚みの範囲内で位置付けられるようにしているので、図３に示すように同じ構成をなす複数の椅子１を折り畳み状態（Ｑ）で重ねて配置しても、任意の椅子１を上方や側方へずらせば容易に把手２３が露出するので、当該任意の椅子１を好適に取り出し得るようになっている。
【００３０】
背板５に凭れ掛けた使用者の上体が把手２３に当たってしまうことを有効に回避するために本実施形態では、平板状をなす背板５の下端から上端を経てさらに上方へ向かう仮想の直線Ｖが把手２３の前面よりも前方を通過するように背板５の取付位置や角度を設定している。また、背板５が前脚フレーム２の厚みの範囲内でも着座者の上体がなす角度に近付けるため、背板５の下端５ｄが前脚フレーム２における後端面２ｂ近傍に位置付けるとともに背板５の上端５ｃが前脚フレーム２における前端面２ａ近傍に位置付けるようにしている。
当該背板５が着座者の上体をより好適に支持しつつ、椅子１に深く腰を掛けた使用者の心地よい着座姿勢を実現するために本実施形態では、保形領域５１を背板５の上側に位置付けるとともに変形領域５２を背板５の下側に位置付けるようにしている。
【００３１】
加えて上記の着座姿勢の実現をより促すために本実施形態では、変形領域５２の少なくとも一部が前脚フレーム２の厚みよりも外側へ変形し得るようにしている。
【００３２】
把手２３を背板５の配置や使用状態（Ｐ）、折り畳み状態（Ｑ）といった姿勢に拘わらず持ちやすいものとするために本実施形態では、把手２３と背板５との間に開口形状をなす把持領域Ｓを形成している。
【００３３】
＜変形例＞
続いて本実施形態の変形例について図８に示して説明する。本変形例において上記実施形態の構成要素に相当するものについては同じ符号を付すとともに、その詳細な説明を省略するものとする。
【００３４】
当該図８に示される背板５は上記実施形態同様、上端５ｃの前面５ａは左右の前脚フレーム２の前端面２ａ近傍で直線状に架設される一方、下方に至るにつれ徐々に中央５ｅが大きく後方へ位置付けられるよう湾曲している形状をなすものである。
【００３５】
しかして本変形例に係る背板５は、その下端５ｄの両側も上端５ｃに同じく、前脚フレーム２の前端面２ａ近傍で接続し、且つ、当該下端５ｄにおける中央５ｅの後面５ｂでは湾曲度合が最も大きく側面視で前脚フレーム２の後端面２ｂ近傍に位置付けられるよう湾曲した形状をなす。
【００３６】
当該構成により、背板５の下端５ｄの湾曲する曲率をより大きく設定する、換言すれば下端５ｄの曲率半径をより小さく設定することになり、着座者に対し、より快適な座り心地を提供し得るものとなっている。
【００３７】
以上、本発明の実施形態について説明したが、各部の具体的な構成は、上述した実施形態のみに限定されるものではなく、本発明の趣旨を逸脱しない範囲で種々変形が可能である。
【００３８】
例えば、上記実施形態では把手を樹脂を中空パイプ状とした態様を開示したが、勿論、中実に形成した把手や、一部に滑り止めを有するような把手としても良い。また座や各部の軸着箇所等の具体的な態様は上記実施形態のものに限定されることはなく、既存のものを含め、種々の態様のものを適用することができる。
【００３９】
その他、各部の具体的構成についても上記実施形態に限られるものではなく、本発明の趣旨を逸脱しない範囲で種々変形が可能である。
【産業上の利用可能性】
【００４０】
本発明は会議室や集会場等で使用される折り畳み可能な椅子として利用することができる。
【符号の説明】
【００４１】
１…椅子
２…第一の脚フレーム（前脚フレーム）
２ａ…前端面
２ｂ…後端面
２３…把手
２３ａ…把手の前面（把手前面）
３…第二の脚フレーム（後脚フレーム）
４…座
５…背板
５ｃ…背板の上端（上端）
５ｄ…背板の下端（下端）
５１…保形領域
５２…変形領域
Ｐ…使用状態
Ｑ…折り畳み状態
Ｓ…把持領域
Ｖ…仮想の直線
【図１】
2013169314.tif 000003
【図２】
2013169314.tif 000004
【図３】
2013169314.tif 000005
【図４】
2013169314.tif 000006
【図５】
2013169314.tif 000007
【図６】
2013169314.tif 000008
【図７】
2013169314.tif 000009
【図８】
2013169314.tif 000010